(57)【特許請求の範囲】
【請求項１】
建物水平方向に延在されると共に無負荷状態で所定量以上の撓みが生じる横架材と、
この横架材の撓み発生部位に略対向した状態で配置されると共に横架材の接続相手とされ、かつ当該横架材の撓み方向には撓まないか又は撓んだとしても横架材に比べて撓み量が少ない接続部材と、
の接続構造であって、
前記横架材には前記接続部材側へ延出された延出部を有する接続ブラケットが取り付けられており、当該接続ブラケットの延出部を前記接続部材自体又は当該接続部材に取り付けられた支持ブラケットに載置させることで横架材の撓みを矯正する、
ことを特徴とする建物の横架材と接続部材との接続構造。
【請求項２】
前記接続ブラケットの延出部は、前記接続部材自体又は前記支持ブラケットに対して非固定状態で載置されている、
ことを特徴とする請求項１記載の建物の横架材と接続部材との接続構造。
【請求項３】
前記接続ブラケットの延出部における接続部材自体又は支持ブラケットとの接触面、又は前記接続部材自体又は支持ブラケットにおける接続ブラケットの延出部との接触面、或いは双方の接触面には、緩衝材が取り付けられている、
ことを特徴とする請求項１又は請求項２記載の建物の横架材と接続部材との接続構造。
【請求項４】
前記接続ブラケットの延出部における接続部材自体又は支持ブラケットとの接触面、又は前記接続部材自体又は支持ブラケットにおける接続ブラケットの延出部との接触面、或いは双方の接触面には、滑り部材が設けられている、
ことを特徴とする請求項１又は請求項２記載の建物の横架材と接続部材との接続構造。
【請求項５】
建物ユニットの桁面と他の建物ユニットの妻面とが所定の隙間をあけて隣接して配置されるように当該建物ユニットと他の建物ユニットとを直交して配置した部分を有するユニット建物であって、
前記妻面の上部側に前記桁面側へ向けて延出された支持面を有する支持ブラケットを設けると共に、前記桁面の上部側に前記妻面側へ向けて延出されかつ支持面に載置されることで桁面側の撓みを矯正可能な延出部を有する接続ブラケットを設けた、
ことを特徴とするユニット建物。
【請求項６】
建物ユニットの長辺側の梁と他の建物ユニットの短辺側の梁とが所定の隙間をあけて平行に配置されるように当該建物ユニットと他の建物ユニットとを直交して配置した部分を有するユニット建物であって、
前記短辺側の梁又は当該梁が接合される柱に前記長辺側の梁へ向けて延出された支持面を有する支持ブラケットを設けると共に、前記長辺側の梁に前記短辺側の梁又は柱へ向けて延出されかつ支持面に載置されることで長辺側の梁の撓みを矯正可能な延出部を有する接続ブラケットを設けた、
ことを特徴とするユニット建物。
【請求項７】
前記建物ユニットと前記他の建物ユニットとは、平面視でＬ字形、Ｔ字形、略Π字形、又は略櫛形に配置されている、
ことを特徴とする請求項５又は請求項６記載のユニット建物。
【請求項８】
前記接続ブラケット及び前記支持ブラケットの少なくとも一方は、前記建物ユニット、前記他の建物ユニットの所定の取付位置に、予め工場で取り付けられている、
ことを特徴とする請求項５〜請求項７のいずれか１項に記載のユニット建物。
【請求項９】
請求項５〜請求項８のいずれか１項に記載のユニット建物を構築する場合に適用され、
前記支持ブラケットが設けられる前記建物ユニットを先に据付けた後に、前記接続ブラケットが設けられた前記他の建物ユニットを当該接続ブラケットの延出部が支持ブラケットの支持面に載置されるように据付ける、
ことを特徴とするユニット建物の構築方法。
【発明の詳細な説明】
【技術分野】
【０００１】
本発明は、建物の横架材と接続部材との接続構造及びユニット建物並びにその構築方法に関する。
【背景技術】
【０００２】
下記特許文献１の第二実施形態には、箱型の建物ユニットを隣接して配置した際に、隣り合う天井大梁の捩れ等を矯正した上で連結する技術が開示されている。簡単に説明すると、隣り合う天井大梁の上フランジ間に、送りねじを備えた仮止め用治具を架け渡して上フランジ同士を引き込み、一方又は両方の天井大梁の捩れを矯正する。捩れが矯正された段階で、仮止め用自具を装着したまま、一対の天井大梁の上フランジ間に連結具を架け渡す。そして、最後に仮止め自具を取り外す。
【特許文献１】特開平９−１０５２３４号公報（段落番号［００５６］〜［００７３］）
【発明の開示】
【発明が解決しようとする課題】
【０００３】
しかしながら、上記先行技術による場合、天井大梁の捩れを矯正することはできても、天井大梁の撓みを強制することはできないという問題がある。具体的に説明すると、ユニット建物を構築する際に、例えば２個の箱型の建物ユニットを平行に配置し、その妻面に隣接して大スパンの箱型の建物ユニットを直交して配置することがある（以下、前者を「平行ユニット」、後者を「直交ユニット」と称す。）。このような建物ユニットの配置を採った場合、直交ユニットの天井大梁の長手方向の中間部と２個の平行ユニットの連結部（２本の柱が並ぶ箇所）とを緊結することになるが、直交ユニットの天井大梁はスパン長が長いため、ある程度の撓みが生じている。この撓みは予め決められた範囲内の撓み量になるように設計されているが、建築地で直交ユニットの天井大梁の撓みを解消する作業をしてから２個の平行ユニットの連結部とを連結作業を行うため、非常に手間がかかり、施工性が低下していた。
【０００４】
なお、天井側について説明したが、床側についても同様のことが当てはまる。
【０００５】
本発明は上記事実を考慮し、隣接する横架材と接続部材との間或いは建物ユニット間に生じる天井や床の段差を解消して、横架材と接続部材との接続時或いはユニット連結時の施工性を向上させることができる建物の横架材と接続部材との接続構造及びユニット建物並びにその構築方法を得ることが目的である。
【課題を解決するための手段】
【０００６】
請求項１の発明は、建物水平方向に延在されると共に無負荷状態で所定量以上の撓みが生じる横架材と、この横架材の撓み発生部位に略対向した状態で配置されると共に横架材の接続相手とされ、かつ当該横架材の撓み方向には撓まないか又は撓んだとしても横架材に比べて撓み量が少ない接続部材と、の接続構造であって、前記横架材には前記接続部材側へ延出された延出部を有する接続ブラケットが取り付けられており、当該接続ブラケットの延出部を前記接続部材自体又は当該接続部材に取り付けられた支持ブラケットに載置させることで横架材の撓みを矯正する、ことを特徴とする。
【０００７】
請求項２の発明は、請求項１記載の建物の横架材と接続部材との接続構造において、前記接続ブラケットの延出部は、前記接続部材自体又は前記支持ブラケットに対して非固定状態で載置されている、ことを特徴とする。
【０００８】
請求項３の発明は、請求項１又は請求項２記載の建物の横架材と接続部材との接続構造において、前記接続ブラケットの延出部における接続部材自体又は支持ブラケットとの接触面、又は前記接続部材自体又は支持ブラケットにおける接続ブラケットの延出部との接触面、或いは双方の接触面には、緩衝材が取り付けられている、ことを特徴とする。
【０００９】
請求項４の発明は、請求項１又は請求項２記載の建物の横架材と接続部材との接続構造において、前記接続ブラケットの延出部における接続部材自体又は支持ブラケットとの接触面、又は前記接続部材自体又は支持ブラケットにおける接続ブラケットの延出部との接触面、或いは双方の接触面には、滑り部材が設けられている、ことを特徴とする。
【００１０】
請求項５の発明は、建物ユニットの桁面と他の建物ユニットの妻面とが所定の隙間をあけて隣接して配置されるように当該建物ユニットと他の建物ユニットとを直交して配置した部分を有するユニット建物であって、前記妻面の上部側に前記桁面側へ向けて延出された支持面を有する支持ブラケットを設けると共に、前記桁面の上部側に前記妻面側へ向けて延出されかつ支持面に載置されることで桁面側の撓みを矯正可能な延出部を有する接続ブラケットを設けた、ことを特徴とする。
【００１１】
請求項６の発明は、建物ユニットの長辺側の梁と他の建物ユニットの短辺側の梁とが所定の隙間をあけて平行に配置されるように当該建物ユニットと他の建物ユニットとを直交して配置した部分を有するユニット建物であって、前記短辺側の梁又は当該梁が接合される柱に前記長辺側の梁へ向けて延出された支持面を有する支持ブラケットを設けると共に、前記長辺側の梁に前記短辺側の梁又は柱へ向けて延出されかつ支持面に載置されることで長辺側の梁の撓みを矯正可能な延出部を有する接続ブラケットを設けた、ことを特徴とする。
【００１２】
請求項７の発明は、請求項５又は請求項６記載のユニット建物において、前記建物ユニットと前記他の建物ユニットとは、平面視でＬ字形、Ｔ字形、略Π字形、又は略櫛形に配置されている、ことを特徴とする。
【００１３】
請求項８の発明は、請求項５〜請求項７のいずれか１項に記載のユニット建物において、前記接続ブラケット及び前記支持ブラケットの少なくとも一方は、前記建物ユニット、前記他の建物ユニットの所定の取付位置に、予め工場で取り付けられている、ことを特徴とする。
【００１４】
請求項９の発明に係るユニット建物の構築方法は、請求項５〜請求項８のいずれか１項に記載のユニット建物を構築する場合に適用され、前記支持ブラケットが設けられる前記建物ユニットを先に据付けた後に、前記接続ブラケットが設けられた前記他の建物ユニットを当該接続ブラケットの延出部が支持ブラケットの支持面に載置されるように据付ける、ことを特徴とする。
【００１５】
請求項１記載の本発明によれば、建物水平方向には横架材が延在されており、この横架材は無負荷状態で所定量以上の撓みが生じる。横架材の撓み発生部位には、横架材の撓み方向には撓まないか又は撓んだとしても横架材に比べて撓み量が少ない接続部材が略対向した状態で配置されている。
【００１６】
ここで、本発明では、上記横架材に接続部材側へ延出された延出部を有する接続ブラケットが取り付けられており、この接続ブラケットの延出部を接続部材自体又は接続部材に取り付けられた支持ブラケットに載置させることで、横架材の撓みが矯正されて横架材と接続部材とが接続される。これにより、隣接する横架材と接続部材との間に天井や床の段差が発生しないか、仮に発生したとしても極僅かな段差に抑制される。従って、建築地で段差を解消するための作業をする必要がなくなり、横架材と接続部材との接続時の施工を容易化できる。
【００１７】
請求項２記載の本発明によれば、接続ブラケットの延出部は、接続部材自体又は支持ブラケットに対して非固定状態で載置されているだけなので、ボルト締結作業や溶接作業等を行う必要がない。
【００１８】
請求項３記載の本発明によれば、接続ブラケットの延出部における接続部材自体又は支持ブラケットとの接触面、又は接続部材自体又は支持ブラケットにおける接続ブラケットの延出部との接触面、或いは双方の接触面には、緩衝材が取り付けられているので、歩行時や重量衝撃時に双方の接触面間に介在される緩衝材が振動・変形に追従することができる。
【００１９】
請求項４記載の本発明によれば、接続ブラケットの延出部における接続部材自体又は支持ブラケットとの接触面、又は接続部材自体又は支持ブラケットにおける接続ブラケットの延出部との接触面、或いは双方の接触面には、滑り部材が設けられているので、歩行時や重量衝撃時に接続ブラケットと支持ブラケットとが相対移動する（滑る）。
【００２０】
請求項５記載の本発明によれば、ユニット建物は、建物ユニットの桁面と他の建物ユニットの妻面とが所定の隙間をあけて隣接して配置されるように当該建物ユニットと他の建物ユニットとを直交して配置された部分を有している。
【００２１】
ここで、本発明では、上記妻面の上部側に上記桁面側へ向けて延出された支持面を有する支持ブラケットが設けられていると共に、上記桁面の上部側に上記妻面側へ向けて延出された延出部を有する接続ブラケットが取り付けられており、この接続ブラケットの延出部を支持ブラケットの支持面に載置させることで、桁面側の撓みが矯正されて桁面と妻面とが接続される。これにより、隣接する桁面と妻面との間に天井や床の段差が発生しないか、仮に発生したとしても極僅かな段差に抑制される。従って、建築地で段差を解消するための作業をする必要がなくなり、桁面と妻面との接続時の施工を容易化できる。
【００２２】
請求項６記載の本発明によれば、ユニット建物は、建物ユニットの長辺側の梁と他の建物ユニットの短辺側の梁とが所定の隙間をあけて平行に配置されるように当該建物ユニットと他の建物ユニットとを直交して配置した部分を有している。
【００２３】
ここで、本発明では、上記短辺側の梁又は当該梁が接合される柱に上記長辺側の梁へ向けて延出された支持面を有する支持ブラケットが設けられていると共に、上記長辺側の梁に上記短辺側の梁又は柱へ向けて延出された延出部を有する接続ブラケットが取り付けられており、この接続ブラケットの延出部を支持ブラケットの支持面に載置させることで、桁面側の撓みが矯正されて長辺側の梁と短辺側の梁又は柱とが接続される。これにより、隣接する長辺側の梁と短辺側の梁との間に天井や床の段差が発生しないか、仮に発生したとしても極僅かな段差に抑制される。従って、建築地で段差を解消するための作業をする必要がなくなり、長辺側の梁と短辺側の梁又は柱との接続時の施工を容易化できる。
【００２４】
請求項７記載の本発明によれば、建物ユニットと他の建物ユニットとが、平面視でＬ字形、Ｔ字形、略Π字形、又は略櫛形に配置されているので、接合部に位置する長辺側の梁に撓みが生じ易い。
【００２５】
請求項８記載の本発明によれば、接続ブラケット及び支持ブラケットの少なくとも一方は、建物ユニット、他の建物ユニットの所定の取付位置に、予め工場で取り付けられているので、建築地で支持ブラケット、接続ブラケットを建物ユニット、他の建物ユニットに取り付ける場合に比し、建築地での作業が減ると共に品質も良くなる。
【００２６】
請求項９記載の本発明によれば、支持ブラケットが設けられる建物ユニットが先に据付けられた後に、接続ブラケットが設けられた他の建物ユニットが当該接続ブラケットの延出部が支持ブラケットの支持面に載置されるように据付けられる。接続ブラケットの延出部が支持ブラケットの支持面に載置されると、鉛直撓みが殆どないか仮に鉛直撓みがあったとしても極僅かである接続ブラケットの支持面に接続ブラケットの延出部が相対的に撓み方向と反対方向へ押圧されて撓みが矯正される。
【発明の効果】
【００２７】
以上説明したように、請求項１記載の本発明に係る建物の横架材と接続部材との接続構造は、隣接する横架材と接続部材との間に生じる天井や床の段差を解消して、横架材と接続部材との接続時の施工性を向上させることができるという優れた効果を有する。
【００２８】
請求項２記載の本発明に係る建物の横架材と接続部材との接続構造は、建築地での施工作業の効率を向上させることができるという優れた効果を有する。
【００２９】
請求項３記載の本発明に係る建物の横架材と接続部材との接続構造は、ブラケット同士が擦れることで発生する床鳴り（きしみ音）等の異音の発生を防止又は抑制することができるという優れた効果を有する。
【００３０】
請求項４記載の本発明に係る建物の横架材と接続部材との接続構造は、接続ブラケットが支持ブラケットに対して相対的に滑ることにより、床鳴り（きしみ音）等の異音の発生を防止又は抑制することができるという優れた効果を有する。
【００３１】
請求項５記載の本発明に係るユニット建物は、建物ユニット間に生じる天井や床の段差を解消して、ユニット連結時の施工性を向上させることができるという優れた効果を有する。
【００３２】
請求項６記載の本発明に係るユニット建物は、建物ユニット間に生じる天井や床の段差を解消して、ユニット連結時の施工性を向上させることができるという優れた効果を有する。
【００３３】
請求項７記載の本発明に係るユニット建物は、建物ユニットと他の建物ユニットとが、平面視でＬ字形、Ｔ字形、略Π字形、又は略櫛形に配置される場合に、桁面側又は長辺側の梁の撓みを効果的に矯正することができるという優れた効果を有する。
【００３４】
請求項８記載の本発明に係るユニット建物は、生産性及び品質を向上させることができるという優れた効果を有する。
【００３５】
請求項９記載の本発明に係るユニット建物の構築方法は、建物ユニット間に生じる天井や床の段差を解消して、ユニット連結時の施工性を格段に向上させることができるという優れた効果を有する。
【発明を実施するための最良の形態】
【００３６】
以下、図１〜図１１を用いて、本発明に係る建物の横架材と接続部材との接続構造及びユニット建物並びにその構築方法の実施形態について説明する。
【００３７】
図４には、ユニット建物の概略平面図が示されている。この図に示されるように、ユニット建物１０は、桁方向を長手方向として配置された他の建物ユニットとしての複数の平行ユニット１２と、これらの平行ユニット１２に隣接しかつ直交して配置された建物ユニットとしての複数の直交ユニット１４と、を含んで構成されている。なお、この実施形態では、平行ユニット１２及び直交ユニット１４はいずれも箱型ユニットとされているが、住宅プランに応じてハーフサイズ等の種々のサイズの箱型ユニット並びにカットユニット等の異形ユニットが使用される。
【００３８】
図１には上記平行ユニット１２と直交ユニット１４との接合部１６（図４のＡ線矢視部）の拡大平面図が示されている。また、図２には、当該接合部１６の拡大立面図が示されている。これらの図に示されるように、平行ユニット１２及び直交ユニット１４は、四隅に立設された４本の柱１８と、これらの柱１８の上端部同士を連結しユニット天井を形成する天井パネル２０と、柱１８の下端部同士を連結しユニット床を形成する床パネル２２と、によってその躯体が構成されている。
【００３９】
天井パネル２０は、平面視で矩形枠状に形成された天井フレーム２４と、この天井フレーム２４の下面側に取り付けられた天井材と、を含んで構成されている。さらに、天井フレーム２４は、溝形鋼によって構成された長短二種類の天井大梁２６、２８と、長辺側の天井大梁２６間に所定間隔で配置された複数の天井小梁２９（図５参照）とを備えている。
【００４０】
柱１８は断面形状が方形の鋼管柱によって構成されており、その上端開放部には方形のプレート３０が被嵌されて溶接されている。平行ユニット１２が妻方向に隣接して配置された直交ユニット１４との接合部１６においては、２本の柱１８が所定の隙間３２をあけて対向して配置されており、これら２本の柱１８の上端部同士は鋼板製のドッキングプレート（連結部材）３４によって相互に連結されている。
【００４１】
ドッキングプレート３０は、柱１８ごとに対応して設けられた略台形状（又は略二等辺三角形状）の一対の基部３４Ａと、双方の基部３４Ａを隙間３２の形成位置で連結する連結部３４Ｂと、によって構成されている。柱１８の上端部の二側面（天井大梁２６、２８が接合される側の二側面）には連結用のフランジ（又はブラケット）３５が取り付けられており（図１ではドッキングプレート３０の基部３４Ａと重なっている。）、このフランジ（又はブラケット）３５と基部３４Ａとがボルト３６及びナット３８によって緊結されることにより、隣接する平行ユニット１２が上下左右に相互に連結されている。
【００４２】
なお、床パネル２２側も天井パネル２０側と同様に構成されており、長短二種類の床大梁４０（図２では長辺側の床大梁４０のみ図示し、短辺側の床大梁については図示を省略している。）と、複数の床小梁４３（図５参照）とを含んで構成された床フレーム４２を備えている。
【００４３】
上記平行ユニット１２に隣接して配置された直交ユニット１４も、その部材構成については平行ユニット１２の場合と同様である。平行ユニット１２の妻面４４と直交ユニット１４の桁面４６との接合部１６においては、直交ユニット１４の長辺側の天井大梁５０が平行ユニット１２の２本の柱１８に対して所定の隙間４８をあけて平行に配置されている。なお、この長辺側の天井大梁５０のスパン長は、平行ユニット１２の短辺側の天井大梁２８のスパン長よりも長く、図４のＡ線矢視部の接合部１６に配置された直交ユニット１４の場合、隣接する２個の平行ユニット１２が備える２本分の妻側の天井大梁２８の長さと柱１８の幅に、平行ユニット１２間の隙間４８の間隙寸法を足した長さに設定されている。
【００４４】
ここで、上述した隣接する２個の平行ユニット１２と直交ユニット１４とは、平行ユニット１２の２本の柱１８と直交ユニット１４の長辺側の天井大梁５０の長手方向の中間部において、支持ブラケット５２と接続ブラケット５４とを介して相互に接続されており、以下に詳細に説明する。
【００４５】
図１〜図３に示されるように、平行ユニット１２の柱１８の上端部の一側面（直交ユニット１４と対向する側の側面）には、支持ブラケット５２が溶接等の接合手段によって接合されている。なお、この支持ブラケット５２の柱１８への取付作業は、高い精度を要するので予め工場内で行われる。
【００４６】
図３（Ａ）に示されるように、支持ブラケット５２は、構造的には、柱１８の側面に密着されて取付座面として機能する矩形平板状の取付部５２Ａと、この取付部５２Ａの下部両サイドに直角に取り付けられた側面視で直角三角形状の一対の支持部５２Ｂと、これらの支持部５２Ｂの上端部に架け渡された平面視で矩形平板状の被載置部５２Ｃと、によって構成されている。被載置部５２Ｃは、取付部５２Ａと一対の支持部５２Ｂとに溶接により剛接合されている。
【００４７】
一方、直交ユニット１４の長手方向の中間部（２本の柱１８の上端部と対向する位置）には、一対の接続ブラケット５４がボルト６２及びナット６４等の接合手段によって接合されている。なお、この接続ブラケット５４の柱１８への取付作業は、建築地で行われるが、支持ブラケット５２と同様に予め工場内で取り付けるようにしてもよい。図３（Ｂ）に示されるように、接続ブラケット５４は、構造的には、支持ブラケット５２と全く同一であり、取付部５４Ａと一対の支持部５４Ｂと載置部５４Ｃとによって構成されている。但し、接続ブラケット５４の取付部５４Ａには、その上縁部及び下縁部にボルト挿通孔５６がそれぞれ形成されている。
【００４８】
なお、上記支持ブラケット５２及び接続ブラケット５４の接続構造は、図２に示されるように、平行ユニット１２の柱１８の下端部と直交ユニット１４の長辺側の天井大梁５０との間でも適用される。また、平行ユニット１２の妻面４４側の天井大梁２８のウェブには、複数箇所にボルト挿通孔５８（図５参照）が形成されている。これらのボルト挿通孔５８に対応して直交ユニット１４の天井大梁５０のウェブにも同軸上に図示しないボルト挿通孔が形成されている。そして、これらのボルト挿通孔５８を利用して図示しない梁連結ブラケットが取り付けられ、互いに対向して配置される天井大梁２８と天井大梁５０とがボルト及びナットで緊結されるようになっている。
【００４９】
（作用・効果）
次に、図５〜図８を用いてユニット建物の構築方法について説明し、その説明を通して本実施形態の作用並びに効果について説明する。
【００５０】
まず、図４に示されるように、平行ユニット１２の妻面４４に位置する１本の柱１８の屋外側の側面の所定位置に支持ブラケット５２が溶接により剛接合される。なお、この作業は予め工場内で行われる。
【００５１】
次に、平行ユニット１２及び直交ユニット１４が工場から建築地まで輸送され、図６に示されるように、平行ユニット１２の方が直交ユニット１４よりも先に据え付けられる。平行ユニット１２の据付後の状態では、２本の柱１８が隣接して配置される接合部１６において一対の支持ブラケット５２が同一の高さで並んだ状態となる。
【００５２】
次に、図７に示されるように、直交ユニット１４の天井大梁５０の長手方向の中間部に一対の接続ブラケット５４が取り付けられる。具体的には、天井大梁５０のウェブに形成された上下一対のボルト挿通孔６０と接続ブラケット５４の取付部５４Ａの上下一対のボルト挿通孔５６とを対応させ、ボルト６２を天井大梁５０のウェブに固着されたウエルドナット６４に螺合させることにより、一対の接続ブラケット５４が天井大梁５０に取り付けられる。なお、この作業は建築地で行われる。
【００５３】
次に、図８に示されるように、先行して据え付けられた平行ユニット１２の妻面４４側に隣接するように直交ユニット１４が吊り込まれる。このときには、スパン長が長い天井大梁５０は、その長手方向の中間部の撓み量が最大になるように撓んでいる。そして、平行ユニット１２の一対の支持ブラケット５２の被載置部５２Ｃに直交ユニット１４の一対の支持ブラケット５２の載置部５４Ｃが載置されるように直交ユニット１４が吊り降ろされる。これにより、一対の支持ブラケット５２に一対の接続ブラケット５４が相対的に持ち上げられ、天井大梁５０の撓みが解消される。
【００５４】
なお、平行ユニット１２に対する直交ユニット１４の接続作業が終了したら、相互に対向して配置された平行ユニット１２の天井大梁２８と直交ユニット１４の天井大梁５０とが前述した梁連結ブラケットを用いて相互に連結される。
【００５５】
このように本実施形態では、一対の平行ユニット１２の２本の柱１８の上端部（及び下端部）に基準となる支持ブラケット５２を配設すると共に、これらの平行ユニット１２に対して直交して配置される直交ユニット１４の長辺側の天井大梁５０の長手方向の中間部に支持ブラケット５２に載置されることで撓みを解消する（矯正する）接続ブラケット５４を配設したので、直交ユニット１４が据え付けられた時点では、平行ユニット１２及び直交ユニット１４の天井間又は床間に段差が発生しないか、仮に発生したとしても極僅かな段差に抑制される。従って、建築地で段差を解消するための作業（梁同士を連結する際に、ボルトとボルト挿通孔との位置を合わせるため、梁連結ブラケットをハンマーで打撃する等の作業）をする必要がなくなり、建築地での施工性を向上させることができる。なお、天井や床に段差が生じると、クロスを貼る際に段差が表面に現れたり、クロス切れが生じたりする。
【００５６】
この効果を図９及び図１０を用いて、以下に説明する。図９には、本実施形態に係る支持ブラケット５２及び接続ブラケット５４による接続構造を備えていない場合の直交ユニットの長辺側の天井大梁（６モジュール）の撓み量を示すグラフＰと、同接続構造を備えている本実施形態の場合の天井大梁５０の撓み量を示すグラフＱとが対比的に図示されている。なお、グラフＱの点Ｒが支持ブラケット５２及び接続ブラケット５４による接続点である。上記グラフＰ、Ｑとの対比から解るように、本実施形態の接続構造が適用されると、天井大梁５０の撓み量は殆ど解消される。
【００５７】
補足すると、図１０（Ａ）にはユニット桁大梁に等分布荷重が作用したと仮定した場合において、１点を緊結した場合の梁の模式図が示されており、図１０（Ｂ）には同じ仮定で２点を緊結した場合の梁の模式図が示されている。前者に対応する弾性曲線式は数１で現され、後者に対応する弾性曲線式は数２及び数３で現されるが、本実施形態によれば、これらの弾性曲線式を略正確に再現できるものと考えられる。
【００５８】
【数１】
0005009759.tif 000002
【００５９】
【数２】
0005009759.tif 000003
【００６０】
【数３】
0005009759.tif 000004
【００６１】
また、本実施形態では、接続ブラケット５４の載置部５４Ｃを支持ブラケット５２の被載置部５２Ｃに載置させるだけでよいので、ボルト締結作業や溶接作業等を行う必要がない。従って、建築地での施工作業の効率を向上させることができる。
【００６２】
さらに、本実施形態では、２個の平行ユニット１２と１個の直交ユニット１４とが平面視で略Π字形に配置されているので、接合部１６に位置する長辺側の天井大梁５０に撓みが生じ易い。従って、直交ユニット１４の長辺側（桁面４６側）の天井大梁５０の撓みを効果的に矯正することができる。
【００６３】
また、本実施形態では、支持ブラケット５２については、予め工場内で平行ユニット１２の柱１８の所定位置に取り付けることとしたので、建築地で支持ブラケット５２を各平行ユニット１２に取り付ける場合に比し、建築地での作業が減ると共に品質も良くなる。従って、ユニット建物１０の生産性及び品質を向上させることができる。
【００６４】
〔実施形態の補足説明〕
（１）上述した実施形態では、金属製の支持ブラケット５２の被載置部５２Ｃに同じく金属製の接続ブラケット５４の載置部５４Ｃを直接載置させていたが、これに限らず、図１１に示される実施形態のように、被載置部５２Ｃの上面及び載置部５４Ｃの下面の少なくとも一方に、緩衝材としてのブチルテープ７０を貼り付けるようにしてもよい。
【００６５】
この構成によれば、歩行時や重量衝撃時に、支持ブラケット５２の被載置部５２Ｃと載置部５４Ｃとの間に介在されたブチルテープ７０が振動・変形に追従することができる。その結果、支持ブラケット５２の被載置部５２Ｃと接続ブラケット５４の載置部５４Ｃとが擦れることで発生する床鳴り（きしみ音）等の異音の発生を防止又は抑制することができる。
【００６６】
なお、緩衝材としてはブチルテープ７０以外も適用可能であり、板状のゴム材を介在させるようにしてもよい。また、緩衝材以外にも、被載置部５２Ｃと載置部５４Ｃとの間にテフロン（登録商標）シートやベアリング等の滑り部材を介装するようにしてもよい。この場合、歩行時や重量衝撃時に接続ブラケット５４の載置部５４Ｃが支持ブラケット５２の被載置部５２Ｃに対して相対移動する（滑る）ことにより、床鳴り（きしみ音）等の異音の発生を防止又は抑制することができる。
【００６７】
（２）上述した実施形態では、ユニット建物１０に対して本発明を適用したが、これに限らず、ユニット工法以外の工法によって構築される建物に対して本発明を適用してもよい。
【００６８】
（３）上述した実施形態では、直交ユニット１４の長辺側の天井大梁５０に接続ブラケット５４を配設し、平行ユニット１２の柱１８に支持ブラケット５２を配設する構成を採ったが、これに限らず、短辺側の天井大梁２８の柱１８への接合部近傍に支持ブラケット５２を配設してもよいし、或いは支持ブラケット５２を廃止して、接続ブラケットの載置部を天井大梁２８等の構造材の上面に直接載置させる構成を採ってもよい。
【００６９】
（４）上述した実施形態では、平行ユニット１２と直交ユニット１４とが平面視で略Π字形に配置されたときの接合部１６に本発明を適用したが、これに限らず、平行ユニットと直交ユニットとが平面視でＬ字形やＴ字形或いは略櫛形に配置されたときの接合部に対して本発明を適用してもよい。
【００７０】
（５）上述した実施形態では、支持ブラケット５２については予め工場内で平行ユニット１２の柱１８に取り付け、接続ブラケット５４については建築地で直交ユニット１４を吊り込む直前に天井大梁５０に取り付けるようにしたが、これに限らず、接続ブラケットと支持ブラケットの少なくとも一方が予め工場内で取り付けられる構成であればよい。
【図面の簡単な説明】
【００７１】
【図１】平行ユニットと直交ユニットとの接合部（図１のＡ線矢視部）の拡大平面図である。
【図２】平行ユニットと直交ユニットとの接合部（図１のＡ線矢視部）の拡大立面図である。
【図３】（Ａ）、（Ｂ）は図１及び図２に示される支持ブラケット及び接続ブラケットの斜視図である。
【図４】本実施形態に係るユニット建物の概略平面図である。
【図５】本実施形態に係るユニット建物の構築方法を説明するための説明図である。
【図６】本実施形態に係るユニット建物の構築方法を説明するための説明図である。
【図７】本実施形態に係るユニット建物の構築方法を説明するための説明図である。
【図８】本実施形態に係るユニット建物の構築方法を説明するための説明図である。
【図９】本実施形態を用いた場合の撓み矯正効果を対比例との関係で示すグラフである。
【図１０】（Ａ）は桁行方向の天井大梁を１点緊結した場合の模式図であり、（Ｂ）は桁行方向の天井大梁を２点緊結した場合の模式図である。
【図１１】別の実施形態を示す図２に対応する要部拡大立面図である。
【符号の説明】
【００７２】
１０      ユニット建物（建物）
１２      平行ユニット（他の建物ユニット）
１４      直交ユニット（建物ユニット）
１６      接合部
１８      柱（接続部材）
２８      天井大梁（短辺側の梁）
４０      床大梁（横架材）
４４      妻面
４６      桁面
４８      隙間
５０      天井大梁（横架材、長辺側の梁）
５２      支持ブラケット
５２Ｃ    被載置部（支持面）
５４      接合ブラケット
５４Ｃ    載置部（延出部）
７０      ブチルテープ（緩衝材）
【図１】
0005009759.tif 000005
【図２】
0005009759.tif 000006
【図３】
0005009759.tif 000007
【図４】
0005009759.tif 000008
【図５】
0005009759.tif 000009
【図６】
0005009759.tif 000010
【図７】
0005009759.tif 000011
【図８】
0005009759.tif 000012
【図９】
0005009759.tif 000013
【図１０】
0005009759.tif 000014
【図１１】
0005009759.tif 000015